(57)【要約】【課題】ＬＥＤによって実現できる色の組み合わせを増加させる点灯制御装置及び電話機を提供する。【解決手段】発光色の異なる複数のＬＥＤ素子を含むＬＥＤと、ＬＥＤの点灯を制御する駆動制御部と、を有する点灯制御装置。駆動制御部は、複数のＬＥＤ素子のそれぞれに対応づけて設けられた素子点灯制御部を有する。各素子点灯制御部は、それぞれ、個別に設定されたデューティ比の制御信号を出力するものである。【選択図】図２
2019046616.tif 000002
【特許請求の範囲】
【請求項１】
発光色の異なる複数のＬＥＤ素子を含むＬＥＤと、
前記ＬＥＤの点灯を制御する駆動制御部と、を有し、
前記駆動制御部は、
複数の前記ＬＥＤ素子のそれぞれに対応づけて設けられた素子点灯制御部を有し、
前記各素子点灯制御部は、それぞれ、個別に設定されたデューティ比の制御信号を出力するものである、点灯制御装置。
【請求項２】
前記ＬＥＤは、複数設けられており、
前記駆動制御部は、
複数の前記ＬＥＤのそれぞれの点灯を制御するものである、請求項１に記載の点灯制御装置。
【請求項３】
前記各素子点灯制御部は、それぞれ、前記ＬＥＤの点灯色に基づいて設定されたデューティ比の前記制御信号を出力するものである、請求項１又は２に記載の点灯制御装置。
【請求項４】
前記ＬＥＤによって実現できる複数の点灯色の中から１つ又は２つ以上の点灯色を選択する操作を受け付ける操作部を有し、
前記各素子点灯制御部は、それぞれ、前記操作部における操作内容に基づいて設定されたデューティ比の前記制御信号を出力するものである、請求項３に記載の点灯制御装置。
【請求項５】
周囲の明るさを示す照度の情報を照度値として測定するセンサ部を有し、
前記各素子点灯制御部は、それぞれ、前記センサ部が測定した照度値に基づいて設定されたデューティ比の前記制御信号を生成するものである、請求項１又は２に記載の点灯制御装置。
【請求項６】
第１照度閾値と、前記第１照度閾値よりも大きく設定された第２照度閾値と、を記憶する記憶部を有し、
前記制御信号のデューティ比は、
前記照度値が前記第１照度閾値以上で且つ前記第２照度閾値以下であれば、基本のデューティ比に設定され、
前記照度値が前記第１照度閾値より小さければ、前記基本のデューティ比よりも小さい低下用デューティ比に設定され、
前記照度値が前記第２照度閾値より大きければ、前記基本のデューティ比よりも大きい上昇用デューティ比に設定される、請求項５に記載の点灯制御装置。
【請求項７】
周囲の明るさを示す照度の情報を照度値として測定するセンサ部を有し、
前記各素子点灯制御部は、それぞれ、前記センサ部が測定した照度値に基づいて、前記制御信号のデューティ比を調整するものである、請求項１〜４の何れか一項に記載の点灯制御装置。
【請求項８】
第１照度閾値と、前記第１照度閾値よりも大きく設定された第２照度閾値と、を記憶する記憶部を有し、
前記各素子点灯制御部は、それぞれ、前記照度値が前記第１照度閾値より小さければ、前記制御信号のデューティ比を小さくし、
前記照度値が前記第２照度閾値より大きければ、前記制御信号のデューティ比を大きくするものである、請求項７に記載の点灯制御装置。
【請求項９】
請求項１〜８の何れか一項に記載の点灯制御装置を備えた電話機。
【請求項１０】
請求項９に記載の電話機であって、
前記点灯制御装置は、
使用開始からの経過時間の情報である経時データが寿命基準値を超えたか否かを判定する制御部を有し、
前記各素子点灯制御部は、それぞれ、前記制御部において前記経時データが前記寿命基準値を超えたと判定されたときに、前記制御信号のデューティ比を小さくするものである、電話機。
【発明の詳細な説明】
【技術分野】
【０００１】
本発明は、ＬＥＤを備えた電気機器に搭載され、ＬＥＤの点灯を制御する点灯制御装置及び電話機に関する。
【背景技術】
【０００２】
一般に、ＬＥＤを搭載する製品では、スタティック点灯方式又はダイナミック点灯方式を適用してＬＥＤを制御している。スタティック点灯方式とは、発光させるＬＥＤに常に電流をかける点灯方式である。ダイナミック点灯方式とは、一定の周波数のパルス信号によりＬＥＤの点灯を制御する方式である。
【０００３】
ダイナミック点灯方式の場合、ＬＥＤの点灯と滅灯とを一定の周期で繰り返すため、スタティック点灯方式に比べ、消費電力を抑えることができる。よって、ダイナミック点灯方式は、ＬＥＤを点灯制御する方式として広く利用されている（例えば、特許文献１参照）。特許文献１の点灯制御装置は、赤色のＬＥＤ素子と、緑色のＬＥＤ素子と、青色のＬＥＤ素子とを有する３色ＬＥＤを発光させるようになっている。
【先行技術文献】
【特許文献】
【０００４】
【特許文献１】特開２０１４−２１００３０号公報
【発明の概要】
【発明が解決しようとする課題】
【０００５】
しかしながら、特許文献１のような点灯制御装置は、複数のＬＥＤ素子をもつ多色ＬＥＤを点灯させる際、各ＬＥＤ素子をそれぞれ点灯又は非点灯の何れかに制御して点灯色を調整する。よって、従来の点灯制御装置の場合、多色ＬＥＤによって実現できる色の組み合わせに限界がある。そのため、従来から、多色ＬＥＤによって実現できる色の組み合わせを増加させる点灯制御装置及び電話機が望まれている。
【課題を解決するための手段】
【０００６】
本発明に係る点灯制御装置は、発光色の異なる複数のＬＥＤ素子を含むＬＥＤと、ＬＥＤの点灯を制御する駆動制御部と、を有し、駆動制御部は、複数のＬＥＤ素子のそれぞれに対応づけて設けられた素子点灯制御部を有し、各素子点灯制御部は、それぞれ、個別に設定されたデューティ比の制御信号を出力するものである。本発明に係る電話機は、上記の点灯制御装置を備えている。
【発明の効果】
【０００７】
本発明によれば、ＬＥＤが有する複数のＬＥＤ素子のそれぞれに、デューティ比の異なる複数の制御信号のうちの１つを選択的に出力することから、複数のＬＥＤ素子のそれぞれの出力を個別に調整することができるため、ＬＥＤによって実現できる色の組み合わせを増加させることができる。
【図面の簡単な説明】
【０００８】
【図１】本発明の実施の形態１に係る点灯制御装置の構成を示すブロック図である。
【図２】図１の駆動制御部及び回路部を例示した回路構成図である。
【図３】図２の駆動制御部が生成する２つの制御信号を例示した説明図である。
【図４】図３の設定に対応するＬＥＤの点灯色の組み合わせを示す表である。
【図５】図２の駆動制御部が生成する３つの制御信号を例示した説明図である。
【図６】本発明の実施の形態１の変形例に係る点灯制御装置の駆動制御部及び回路部を例示した回路構成図である。
【図７】図６の駆動制御部が出力する信号波形を例示する説明図である。
【図８】図７の信号波形を部分的に抜き出した説明図である。
【図９】本発明の実施の形態２に係る点灯制御装置を搭載した電気機器の構成を示す概略構成図である。
【図１０】図９の駆動制御部及び回路部の一例を示す回路構成図である。
【図１１】図９の駆動制御部及び回路部の他の例を示す回路構成図である。
【図１２】図９の制御部の動作の一例を示すフローチャートである。
【図１３】本発明の実施の形態３に係る点灯制御装置を搭載した電気機器の構成を示す概略構成図である。
【図１４】図１３の駆動制御部及び回路部の一例を示す回路構成図である。
【図１５】図１４の駆動制御部及び回路部の他の例を示す回路構成図である。
【発明を実施するための形態】
【０００９】
実施の形態１．
図１は、本発明の実施の形態１に係る点灯制御装置の構成を示すブロック図である。図２は、図１の駆動制御部及び回路部を例示した回路構成図である。点灯制御装置１００は、色の異なる複数のＬＥＤ素子を含む多色ＬＥＤを搭載する種々の電気製品に実装することができる。図１及び図２に基づき、本実施の形態１の点灯制御装置１００の構成について説明する。
【００１０】
図１に示すように、点灯制御装置１００は、操作部１０と、制御部２０と、記憶部３０と、駆動制御部４０と、１つ又は複数のＬＥＤ５３を含む回路部５０と、を有している。図１では、回路部５０が１つのＬＥＤ５３を含む場合を例示している。図２に示すように、駆動制御部４０は、例えばＦＰＧＡ（Ｆｉｅｌｄ−Ｐｒｏｇｒａｍｍａｂｌｅ  Ｇａｔｅ  Ａｒｒａｙ）からなり、回路部５０の駆動を制御して、ＬＥＤ５３の点灯を制御するものである。駆動制御部４０は、制御部２０から出力される指令信号に従い、ＬＥＤ５３の点灯を制御する制御信号を生成するＬＥＤ制御信号ブロック４１を備えている。ＬＥＤ制御信号ブロック４１は、第１素子点灯制御部４１ａと、第２素子点灯制御部４１ｂと、第３素子点灯制御部４１ｃと、を有している。第１素子点灯制御部４１ａ、第２素子点灯制御部４１ｂ、及び第３素子点灯制御部４１ｃは、それぞれ、個別に設定されたデューティ比の制御信号を出力するものである。
【００１１】
図２に示すように、回路部５０は、第１素子点灯制御部４１ａに接続された抵抗５１ａと、第２素子点灯制御部４１ｂに接続された抵抗５１ｂと、第３素子点灯制御部４１ｃに接続された抵抗５１ｃと、を有している。回路部５０は、抵抗５１ａにベースが接続されたトランジスタ５２ａと、抵抗５１ｂにベースが接続されたトランジスタ５２ｂと、抵抗５１ｃにベースが接続されたトランジスタ５２ｃと、を有している。本実施の形態１において、トランジスタ５２ａ〜５２ｃは、それぞれ、ＮＰＮ型のトランジスタである。トランジスタ５２ａ〜５２ｃのそれぞれのエミッタは接地されている。
【００１２】
ＬＥＤ５３は、トランジスタ５２ａのコレクタにカソードが接続された第１素子５３ａと、トランジスタ５２ｂのコレクタにカソードが接続された第２素子５３ｂと、トランジスタ５２ｃのコレクタにカソードが接続された第３素子５３ｃと、を有している。本実施の形態１において、第１素子５３ａは赤色のＬＥＤ素子であり、第２素子５３ｂは緑色のＬＥＤ素子であり、第３素子５３ｃは青色のＬＥＤ素子である。すなわち、ＬＥＤ５３は、赤色のＬＥＤ素子と、緑色のＬＥＤ素子と、青色のＬＥＤ素子とを有する３色ＬＥＤである。ＬＥＤ５３は、予め設定された複数の色で点灯することができる。
【００１３】
回路部５０は、第１素子５３ａのアノードが接続された抵抗５４ａと、第２素子５３ｂのアノードが接続された抵抗５４ｂと、第３素子５３ｃのアノードが接続された抵抗５４ｃと、を有している。つまり、ＬＥＤ５３には、抵抗５４ａ〜５４ｃを介して電圧ＶＤＤが印加される。
【００１４】
操作部１０は、ＬＥＤ５３によって実現できる複数の点灯色の中から、１つ又は２つ以上の点灯色を選択する操作を受け付ける。操作部１０は、例えば、点灯制御装置１００を搭載している電気機器の状態ごとに、点灯色を選択する操作を受け付けるものであってよい。以降では、点灯制御装置１００を搭載している電気機器のことを「搭載機器」という。より具体的に、例えば、搭載機器が電話機の場合、操作部１０は、待機中、通話中、着信中、又は発信中といった各状態のそれぞれに対応づけて、点灯色を選択する操作を受け付けるようにするとよい。なお、操作部１０は、第１素子５３ａ、第２素子５３ｂ、及び第３素子５３ｃのそれぞれの輝度を調整する操作を受け付けるようにしてもよい。そして、操作部１０は、ユーザ等による操作内容を示す操作信号を制御部２０へ出力する。
【００１５】
記憶部３０には、制御部２０の動作用の制御プログラム等が記憶されている。記憶部３０は、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）、フラッシュメモリ等のＰＲＯＭ（Ｐｒｏｇｒａｍｍａｂｌｅ  ＲＯＭ）、又はＨＤＤ（Ｈａｒｄ  Ｄｉｓｋ  Ｄｒｉｖｅ）等により構成することができる。
【００１６】
制御部２０は、記憶部３０に記憶されている制御プログラムに従って動作し、ＬＥＤ５３の点灯に関する制御を実行する。本実施の形態１において、制御部２０は、操作部１０からの操作信号に基づき、第１素子５３ａ、第２素子５３ｂ、及び第３素子５３ｃのそれぞれの輝度を設定し、設定内容に応じてＬＥＤ５３の点灯色を調整する。つまり、制御部２０は、第１素子５３ａ、第２素子５３ｂ、及び第３素子５３ｃのそれぞれの輝度の設定内容に応じて、第１素子点灯制御部４１ａ、第２素子点灯制御部４１ｂ、及び第３素子点灯制御部４１ｃのそれぞれに出力する指令信号を生成する。
【００１７】
点灯制御装置１００では、第１素子５３ａ、第２素子５３ｂ、及び第３素子５３ｃのそれぞれに設定できる輝度が段階的に決められている。例えば、各ＬＥＤ素子に対し、滅灯、暗い輝度、及び明るい輝度の３段階の設定が可能な場合を想定する。この場合、制御部２０は、第１素子点灯制御部４１ａ、第２素子点灯制御部４１ｂ、及び第３素子点灯制御部４１ｃのそれぞれに対し、指令信号を出力しないか、又は暗い点灯もしくは明るい点灯を指示する指令信号を出力する。
【００１８】
また、各ＬＥＤ素子に対し、滅灯、暗い輝度、中間の輝度、及び明るい輝度の４段階の設定が可能な場合を想定する。この場合、制御部２０は、第１素子点灯制御部４１ａ、第２素子点灯制御部４１ｂ、及び第３素子点灯制御部４１ｃのそれぞれに対し、指令信号を出力しないか、又は暗い点灯、中間の輝度での点灯、もしくは明るい点灯を指示する指令信号を出力する。ここで、点灯制御装置１００は、ＬＥＤ５３の複数の素子ごとに、設定可能な輝度の段階数が異なっていてもよい。
【００１９】
制御部２０は、例えばＣＰＵ（Ｃｅｎｔｒａｌ  Ｐｒｏｃｅｓｓｉｎｇ  Ｕｎｉｔ）などの演算装置と、こうした演算装置と協働して上記の各種機能を実現させる制御プログラムとによって構成することができる。もっとも、制御部２０は、上述した各機能を実現する回路デバイスなどのハードウェアにより実現してもよい。
【００２０】
駆動制御部４０は、第１素子５３ａ、第２素子５３ｂ、及び第３素子５３ｃのそれぞれに、デューティ比の異なる複数の制御信号のうちの１つを選択的に出力して、ＬＥＤ５３を点灯させるものである。第１素子点灯制御部４１ａ、第２素子点灯制御部４１ｂ、及び第３素子点灯制御部４１ｃは、それぞれ、制御部２０からの指令信号に応じて制御信号を生成するものである。すなわち、第１素子点灯制御部４１ａ、第２素子点灯制御部４１ｂ、及び第３素子点灯制御部４１ｃは、ＬＥＤ５３の点灯色に基づいて設定されたデューティ比の制御信号を出力するものである。
【００２１】
ここで、制御信号は、矩形状のパルスを周期的に含むパルス信号である。そして、記憶部３０には、制御部２０からの各指令信号に応じたデューティ比の情報が記憶されている。つまり、第１素子点灯制御部４１ａ、第２素子点灯制御部４１ｂ、及び第３素子点灯制御部４１ｃは、それぞれ、制御部２０からの指令信号をもとに、制御信号のパルス幅に対応するデューティ比を決定する。第１素子点灯制御部４１ａはトランジスタ５２ａに制御信号を出力し、第２素子点灯制御部４１ｂはトランジスタ５２ｂに制御信号を出力し、第３素子点灯制御部４１ｃは、トランジスタ５２ｃに制御信号を出力する。すなわち、第１素子点灯制御部４１ａ、第２素子点灯制御部４１ｂ、及び第３素子点灯制御部４１ｃは、それぞれ、操作部１０における操作内容に基づいて設定されたデューティ比の制御信号を出力するものである。
【００２２】
本実施の形態１において、トランジスタ５２ａ〜５２ｃは、何れもＮＰＮ型のトランジスタであるため、制御信号のパルスがオンのときにオンとなり、制御信号のパルスがオフのときにオフとなる。よって、第１素子点灯制御部４１ａが出力する制御信号のパルスがオンのときに第１素子５３ａが点灯する。第２素子点灯制御部４１ｂが出力する制御信号のパルスがオンのときに第２素子５３ｂが点灯する。第３素子点灯制御部４１ｃが出力する制御信号のパルスがオンのときに第３素子５３ｃが点灯する。
【００２３】
図３は、図２の駆動制御部が生成する２つの制御信号を例示した説明図である。図３の場合、第１素子点灯制御部４１ａ、第２素子点灯制御部４１ｂ、及び第３素子点灯制御部４１ｃは、それぞれ、点灯周期ＴＬでオンオフを繰り返す制御信号を生成する。クロック周期Ｔｃは、駆動制御部４０の内部で生成されるクロック信号のオンオフ周期である。クロック信号の周波数は、例えば１６００［Ｈｚ］に設定され、この場合のクロック周期Ｔｃは０．６２５［ｍｓ］となる。制御信号の周波数は、例えば２００［Ｈｚ］に設定され、この場合の点灯周期ＴＬは５［ｍｓ］となる。すなわち、図３の例では、点灯周期ＴＬがクロック周期Ｔｃの８倍となっている。
【００２４】
図３は、各ＬＥＤ素子に対して３段階の輝度設定が可能な場合を想定している。第１素子点灯制御部４１ａは、制御部２０から暗い発光を指示する指令信号が出力されると、相対的に小さなデューティ比をもつ第１制御信号を生成する。第１素子点灯制御部４１ａは、制御部２０から明るい発光を指示する指令信号が出力されると、相対的に大きなデューティ比をもつ第２制御信号を生成する。
【００２５】
第１制御信号は、デューティ比が１／８となっている。よって、トランジスタ５２ａは、第１制御信号をもとに動作する場合、点灯周期ＴＬの１／８だけオンとなり、残りの７／８はオフとなる。したがって、第１素子５３ａは、点灯周期ＴＬの１／８に相当する０．６２５［ｍｓ］間だけ点灯し、残りの７／８は滅灯となる。
【００２６】
第２制御信号は、デューティ比が７／８となっている。よって、トランジスタ５２ａは、第２制御信号をもとに動作する場合、点灯周期ＴＬの７／８だけオンとなり、残りの１／８はオフとなる。したがって、第１素子５３ａは、点灯周期ＴＬの７／８に相当する４．３８［ｍｓ］間だけ点灯し、残りの１／８は滅灯となる。
【００２７】
第１素子点灯制御部４１ａと、第２素子点灯制御部４１ｂと、第３素子点灯制御部４１ｃとは、何れも同様に構成されている。すなわち、第２素子点灯制御部４１ｂ及び第３素子点灯制御部４１ｃは、何れも、第１素子点灯制御部４１ａと同様に、第１制御信号及び第２制御信号を生成することができる。そして、第１素子点灯制御部４１ａ、第２素子点灯制御部４１ｂ、及び第３素子点灯制御部４１ｃは、それぞれ個別に制御信号を生成するようになっている。つまり、第１素子点灯制御部４１ａは、トランジスタ５２ａに電流が流れる時間を調整することにより、赤色のＬＥＤ素子である第１素子５３ａの輝度を個別に調整することができる。第２素子点灯制御部４１ｂは、トランジスタ５２ｂに電流が流れる時間を調整することにより、緑色のＬＥＤ素子である第２素子５３ｂの輝度を個別に調整することができる。第３素子点灯制御部４１ｃは、トランジスタ５２ｃに電流が流れる時間を調整することにより、青色のＬＥＤ素子である第３素子５３ｃの輝度を個別に調整することができる。
【００２８】
図４は、図３の設定に対応するＬＥＤの点灯色の組み合わせを示す表である。図４において、赤は第１素子５３ａに対応し、緑は第２素子５３ｂに対応し、青は第３素子５３ｃに対応している。暗いは第１信号に対応し、明るいは第２信号に対応している。「○」が記載されている欄は、各ＬＥＤ素子の点灯を示し、何も記載されていない欄は、各ＬＥＤ素子の非点灯、つまり駆動制御部４０が各ＬＥＤ素子に制御信号を出力しない場合を示す。
【００２９】
図４のＮｏ１〜Ｎｏ３は、第１素子５３ａ、第２素子５３ｂ、及び第３素子５３ｃのうちの何れか１つを点灯させる場合の点灯色及び輝度を示す。１色の場合は、暗い点灯と明るい点灯との間に色の差異が生じないため、図４では、明るい点灯のみをカウントしている。図４のＮｏ４〜Ｎｏ１５は、第１素子５３ａ、第２素子５３ｂ、及び第３素子５３ｃのうちの何れか２つを点灯させる場合の点灯色及び輝度を示す。図４のＮｏ１６〜Ｎｏ２３は、第１素子５３ａ、第２素子５３ｂ、及び第３素子５３ｃの全てを点灯させる場合の点灯色及び輝度を示す。なお、本実施の形態１では、第１素子５３ａ、第２素子５３ｂ、及び第３素子５３ｃの色が全て異なっていることから、同色の暗い点灯と明るい点灯が重なる組み合わせは実現できないため、図４では、このような組み合わせは除外している。
【００３０】
ここで、従来の点灯制御装置は、ＬＥＤが有する各ＬＥＤ素子を、点灯又は滅灯の２つの状態にしか制御することができない。よって、従来の点灯制御装置が生成できる組み合わせは、３色ＬＥＤを使用する場合、「赤と青」、「赤と緑」、「青と緑」、「赤」、「青」、「緑」、及び「赤と青」の７通りである。つまり、従来の点灯制御装置は、３色ＬＥＤを使用する場合、７色しか生成することができない。これに対し、点灯制御装置１００は、各ＬＥＤ素子に対して３段階の輝度設定が可能な構成を採ると、各ＬＥＤ素子の点灯状態の組み合わせを２３通りまで増やすことができるため、ＬＥＤ５３を２３種類の色で点灯させることができる。
【００３１】
図５は、図２の駆動制御部が生成する３つの制御信号を例示した説明図である。クロック周期Ｔｃ及び点灯周期ＴＬなどの設定は図３と同様である。すなわち、図５は、各ＬＥＤ素子に対して４段階の輝度設定が可能な場合を想定している。第１制御信号及び第２制御信号に関する処理内容は図３の場合と同様であるため、ここでは、中間の輝度に応じた第３制御信号に関する処理内容を説明する。
【００３２】
第１素子点灯制御部４１ａは、制御部２０から中間の輝度での発光を指示する指令信号が出力されると、第１制御信号よりもデューティ比が大きく、かつ第２制御信号よりもデューティ比が小さい第３制御信号を生成する。図５に示す第３制御信号は、デューティ比が１／２となっている。よって、トランジスタ５２ａは、第３制御信号をもとに動作する場合、点灯周期ＴＬの１／２だけオンとなり、残りの１／２はオフとなる。したがって、第１素子５３ａは、点灯周期ＴＬの１／２に相当する２．５［ｍｓ］間だけ点灯し、残りの１／２は滅灯となる。
【００３３】
第１素子点灯制御部４１ａと、第２素子点灯制御部４１ｂと、第３素子点灯制御部４１ｃとは、何れも同様に構成されている。すなわち、第２素子点灯制御部４１ｂ及び第３素子点灯制御部４１ｃは、何れも、第１素子点灯制御部４１ａと同様に、第１制御信号及び第２制御信号を生成することができる。そして、第１素子点灯制御部４１ａ、第２素子点灯制御部４１ｂ、及び第３素子点灯制御部４１ｃは、それぞれ個別に制御信号を生成するようになっている。よって、点灯制御装置１００は、各ＬＥＤ素子に対して４段階の輝度設定が可能な構成を採ると、各ＬＥＤ素子の点灯状態の組み合わせを５７通りまで増やすことができるため、ＬＥＤ５３を５７種類の色で点灯させることができる。
【００３４】
もっとも、点灯制御装置１００は、各ＬＥＤ素子に対して５段階以上の輝度設定ができるように構成してもよい。すなわち、第１素子点灯制御部４１ａ、第２素子点灯制御部４１ｂ、及び第３素子点灯制御部４１ｃは、それぞれ、デューティ比の異なる４つ以上の制御信号を生成して出力できるようにしてもよい。また、ＬＥＤ５３が有する素子ごとに、輝度の段階数を個別設定してもよい。すなわち、図２のＬＥＤ５３を例にとると、例えば、第１素子５３ａに対して設定可能な輝度を４段階とし、第２素子５３ｂ及び第３素子５３ｃのそれぞれに対して設定可能な輝度を３段階にするというように、輝度の段階数を素子ごとに設定してもよい。
【００３５】
そして、各制御信号のそれぞれのデューティ比は、任意に設定変更することができる。すなわち、設定可能なデューティ比は、１／８、１／２、及び７／８に限定されず、様々な値に適宜調整することができる。また、クロック周期Ｔｃ及び点灯周期ＴＬは、任意に設定変更することができる。
【００３６】
以上のように、点灯制御装置１００は、ＬＥＤ５３が有する複数のＬＥＤ素子のそれぞれに、デューティ比の異なる複数の制御信号のうちの１つを選択的に出力する。よって、複数のＬＥＤ素子のそれぞれの出力を個別に調整することができるため、ＬＥＤによって実現できる色の組み合わせを増加させることができる。すなわち、点灯制御装置１００は、制御信号のパルス幅を小さくすることにより各ＬＥＤ素子の輝度を低下させ、制御信号のパルス幅を長くすることにより各ＬＥＤ素子の輝度を上昇させるようになっている。つまり、点灯制御装置１００は、ＬＥＤ５３の点灯色の設定内容に応じた制御信号によってトランジスタ５２ａ〜５２ｃをオンオフ制御し、各ＬＥＤ素子の点灯時間を調整することで、各ＬＥＤ素子の輝度を調整することができる。よって、ダイナミック点灯によるＬＥＤの輝度調整により、各ＬＥＤ素子の点灯状態の組み合わせを従来よりも増やすことができ、用途の幅を広げることができる。
【００３７】
＜変形例＞
上記の説明では、点灯制御装置１００が１つのＬＥＤ５３の点灯色を調整する場合を例示したが、点灯制御装置１００は、複数のＬＥＤ５３のそれぞれの点灯色を個別に調整するものであってよい。つまり、ＬＥＤ５３は、複数設けられてもよい。そこで、本変形例では、点灯制御装置１００が複数のＬＥＤ５３のそれぞれの点灯色を個別に調整する場合の構成例について説明する。点灯制御装置１００の全体的な構成は図１と同様であるため、同等の構成部材については同一の符号を用いて説明は省略する。
【００３８】
図６は、本発明の実施の形態１の変形例に係る点灯制御装置の駆動制御部及び回路部を例示した回路構成図である。図６に示すように、回路部５０は、複数のＬＥＤ５３と、ＰＮＰ型である複数のトランジスタ５６ａ〜５６ｆと、ＮＰＮ型である複数のトランジスタ５９ａ〜５９ｆと、を有している。
【００３９】
複数のＬＥＤ５３は、それぞれ、第１素子５３ａと第２素子５３ｂとを含む２色ＬＥＤである。例えば、複数のＬＥＤ５３は、それぞれ、多機能電話機などの上面に配列された複数のプッシュボタン（ファンクションキーなど）に組み込まれて使用される。
【００４０】
複数のＬＥＤ５３は、６×３のＬＥＤマトリクス５３０を構成している。ＬＥＤマトリクス５３０は、ＬＥＤ群５３ａｂと、ＬＥＤ群５３ｃｄと、ＬＥＤ群５３ｅｆと、を備えている。ＬＥＤ群５３ａｂ、ＬＥＤ群５３ｃｄ、及びＬＥＤ群５３ｅｆは、それぞれ、２以上のＬＥＤ５３を含んでいる。すなわち、ＬＥＤ群５３ａｂは、ＬＥＤマトリクス５３０における第１行目の６つのＬＥＤ５３を含んでいる。ＬＥＤ群５３ｃｄは、ＬＥＤマトリクス５３０における第２行目の６つのＬＥＤ５３を含んでいる。ＬＥＤ群５３ｅｆは、ＬＥＤマトリクス５３０における第３行目の６つのＬＥＤ５３を含んでいる。
【００４１】
回路部５０は、複数のトランジスタ５６ａ〜５６ｆのそれぞれのベースに接続された抵抗５５ａ〜５５ｆと、複数のトランジスタ５６ａ〜５６ｆのコレクタとＬＥＤ５３のアノードとの間にそれぞれ接続された抵抗５７ａ〜５７ｆと、を有している。回路部５０は、複数のトランジスタ５９ａ〜５９ｆのそれぞれのベースに接続された抵抗５８ａ〜５８ｆを有している。回路部５０は、複数のＬＥＤ５３に印加される電圧ＶＤＤを平滑化するコンデンサ５６０を有している。
【００４２】
駆動制御部４０は、例えばＦＰＧＡからなり、制御部２０から送信される指令信号に従い、複数のＬＥＤ５３のそれぞれを駆動する制御信号を生成するものである。駆動制御部４０は、ＬＥＤマトリクス５３０のロウ側を選択する行制御信号を生成する行選択処理部１４１と、ＬＥＤマトリクス５３０のカラム側を選択する列制御信号を生成する列選択処理部１４２と、を有している。
【００４３】
行選択処理部１４１は、点灯させるＬＥＤ５３を選択するパルス信号を行制御信号として生成し、選択したＬＥＤ５３の通電のタイミングを制御するものである。また、行選択処理部１４１は、選択したＬＥＤ５３に対応する行制御信号のパルス幅を調整する機能を有している。すなわち、行選択処理部１４１は、複数のＬＥＤ５３のうちの何れか一つの輝度を低下させる場合に、当該ＬＥＤ５３に対応する行制御信号のパルス幅を短くする。また、行選択処理部１４１は、複数のＬＥＤ５３のうちの何れか一つの輝度を上昇させる場合に、当該ＬＥＤ５３に対応する行制御信号のパルス幅を長くする。
【００４４】
本変形例において、行選択処理部１４１は、各ＬＥＤ群のそれぞれに含まれる６つのＬＥＤ５３に共通する素子を、発光させる素子として一括で選択することができる。より具体的に、行選択処理部１４１は、第１素子点灯制御部１４１ａと、第２素子点灯制御部１４１ｂと、第１素子点灯制御部１４２ａと、第２素子点灯制御部１４２ｂと、第１素子点灯制御部１４３ａと、第２素子点灯制御部１４３ｂと、を有している。第１素子点灯制御部１４１ａ、第２素子点灯制御部１４１ｂ、第１素子点灯制御部１４２ａ、第２素子点灯制御部１４２ｂ、第１素子点灯制御部１４３ａ、及び第２素子点灯制御部１４３ｂは、それぞれ、個別に設定されたデューティ比の制御信号を出力するものである。
【００４５】
第１素子点灯制御部１４１ａは、ＬＥＤ群５３ａｂの各ＬＥＤ５３のそれぞれの第１素子５３ａを選択する行制御信号ＳＥＬ＿０を生成し、トランジスタ５６ａへ出力する。これにより、第１素子点灯制御部１４１ａは、ＬＥＤ群５３ａｂの各第１素子５３ａの通電のタイミングを制御する。第２素子点灯制御部１４１ｂは、ＬＥＤ群５３ａｂの各ＬＥＤ５３のそれぞれの第２素子５３ｂを選択する行制御信号ＳＥＬ＿１を生成し、トランジスタ５６ｂへ出力する。これにより、第２素子点灯制御部１４１ｂは、ＬＥＤ群５３ａｂの各第２素子５３ｂの通電のタイミングを制御する。
【００４６】
第１素子点灯制御部１４２ａは、ＬＥＤ群５３ｃｄの各ＬＥＤ５３のそれぞれの第１素子５３ａを選択する行制御信号ＳＥＬ＿２を生成し、トランジスタ５６ｃへ出力する。これにより、第１素子点灯制御部１４２ａは、ＬＥＤ群５３ｃｄの各第１素子５３ａの通電のタイミングを制御する。第２素子点灯制御部１４２ｂは、ＬＥＤ群５３ｃｄの各ＬＥＤ５３のそれぞれの第２素子５３ｂを選択する行制御信号ＳＥＬ＿３を生成し、トランジスタ５６ｄへ出力する。これにより、第２素子点灯制御部１４２ｂは、ＬＥＤ群５３ｃｄの各第２素子５３ｂの通電のタイミングを制御する。
【００４７】
第１素子点灯制御部１４３ａは、ＬＥＤ群５３ｅｆのそれぞれの第１素子５３ａを選択する行制御信号ＳＥＬ＿４を生成し、トランジスタ５６ｅへ出力する。これにより、第１素子点灯制御部１４３ａは、ＬＥＤ群５３ｅｆの各第１素子５３ａの通電のタイミングを制御する。第２素子点灯制御部１４３ｂは、ＬＥＤ群５３ｅｆの各ＬＥＤ５３のそれぞれの第２素子５３ｂを選択する行制御信号ＳＥＬ＿５を生成し、トランジスタ５６ｆへ出力する。これにより、第２素子点灯制御部１４３ｂは、ＬＥＤ群５３ｅｆの各第２素子５３ｂの通電のタイミングを制御する。
【００４８】
列選択処理部１４２は、行選択処理部１４１が生成する行制御信号のパルスに応じたタイミングで各素子を点灯させるものである。列選択処理部１４２は、各トランジスタ５９ａ〜５９ｆに、それぞれ、各抵抗５８ａ〜５８ｆを介して接続された６つの出力端子（図示せず）を有している。列選択処理部１４２は、各出力端子から、それぞれ、複数の列制御信号ＯＵＴ０〜ＯＵＴ５を各トランジスタ５９ａ〜５９ｆへ出力することにより、複数のＬＥＤ５３を点灯させるものである。
【００４９】
操作部１０は、複数のＬＥＤ５３の各々によって実現できる複数の色の中から、１つ又は２つ以上の色を選択する操作を受け付ける。操作部１０は、例えば、搭載機器の状態ごとに、複数のＬＥＤ５３の各々の点灯色を選択する操作を受け付けるものであってよい。また、複数のＬＥＤ５３がそれぞれ、搭載機器の機能に対応づけられたプッシュボタンに組み込まれている場合、操作部１０は、複数のＬＥＤ５３の各々の点灯色を、プッシュボタンごとに選択できるようにしてもよい。
【００５０】
制御部２０は、記憶部３０に記憶されている制御プログラムに従って動作し、複数のＬＥＤ５３の点灯に関する制御を実行する。本変形例において、制御部２０は、操作部１０からの操作信号に基づき、複数のＬＥＤ５３のそれぞれの第１素子５３ａ及び第２素子５３ｂの輝度を個別に設定する。そして、制御部２０は、設定内容に応じて、駆動制御部４０へ出力する指令信号を生成する。
【００５１】
図７は、図６の駆動制御部が出力する信号波形を例示する説明図である。本変形例において、複数のトランジスタ５６ａ〜５６ｆは何れもＰＮＰ型であるため、行制御信号のパルスがオフのとき、つまりＬレベルのときにオンとなり、行制御信号のパルスがオンのとき、つまりＨレベルのときにオフとなる。つまり、列制御信号のパルスがオンであり、行制御信号のパルスがオフのときに、対応するＬＥＤ素子が点灯する。
【００５２】
行選択処理部１４１は、図７に示すように、行制御信号ＳＥＬ＿０〜ＳＥＬ＿５として、点灯周期ＴＬのパルス波を出力する。図７には、行制御信号ＳＥＬ＿０〜ＳＥＬ＿５が同形のパルス波となっており、複数のＬＥＤ５３が全て選択されている状態を示している。
【００５３】
すなわち、第１素子点灯制御部１４１ａが出力する行制御信号ＳＥＬ＿０により、ＬＥＤ群５３ａｂに含まれる各第１素子５３ａが選択される。第２素子点灯制御部１４１ｂが出力する行制御信号ＳＥＬ＿１により、ＬＥＤ群５３ａｂに含まれる各第２素子５３ｂが選択される。第１素子点灯制御部１４２ａが出力する行制御信号ＳＥＬ＿２により、ＬＥＤ群５３ｃｄに含まれる各第１素子５３ａが選択される。第２素子点灯制御部１４２ｂが出力する行制御信号ＳＥＬ＿３により、ＬＥＤ群５３ｃｄに含まれる各第２素子５３ｂが選択される。第１素子点灯制御部１４３ａが出力する行制御信号ＳＥＬ＿４により、ＬＥＤ群５３ｅｆに含まれる各第１素子５３ａが選択される。第２素子点灯制御部１４３ｂが出力する行制御信号ＳＥＬ＿５により、ＬＥＤ群５３ｅｆに含まれる各第２素子５３ｂが選択される。
【００５４】
また、行制御信号ＳＥＬ＿０〜ＳＥＬ＿５のＬレベルは、それぞれ、列制御信号ＯＵＴ０〜ＯＵＴ５のＨレベルのうちの何れか一つに対応している。例えば、行制御信号ＳＥＬ＿０におけるＢ点のＬレベルは、列制御信号ＯＵＴ０におけるＡ点のＨレベルに対応しており、行制御信号ＳＥＬ＿１におけるＤ点のＬレベルは、列制御信号ＯＵＴ１におけるＣ点のＨレベルに対応している。そして、列制御信号ＯＵＴ０〜ＯＵＴ５のＨレベルと、行制御信号ＳＥＬ＿０〜ＳＥＬ＿５のＬレベルとが重なっている間、対応するＬＥＤ５３が点灯する。
【００５５】
このように、本変形例におけるＬＥＤのダイナミック点灯方式では、ロウ側において点灯させたいＬＥＤ群を選択し、カラム側において選択したＬＥＤ群の点灯を制御する。そして、複数のＬＥＤ５３は、それぞれ、列制御信号ＯＵＴ０〜ＯＵＴ５及び行制御信号ＳＥＬ＿０〜ＳＥＬ＿５に応じて点灯と消灯とを繰り返す。
【００５６】
図８は、図７の信号波形を部分的に抜き出した説明図である。図８における第１制御信号〜第３制御信号の構成は、図５の例と同様であるため説明は省略する。図８では、列制御信号ＯＵＴ０と、行制御信号ＳＥＬ＿０と、を例示している。つまり、第１素子点灯制御部１４１ａは、上述した第１素子点灯制御部４１ａと同様の機能を有している。
【００５７】
より具体的に、第１素子点灯制御部１４１ａは、制御部２０から暗い発光を指示する指令信号が出力されると、行制御信号ＳＥＬ＿０として、相対的に小さなデューティ比をもつ第１制御信号を生成する。第１素子点灯制御部１４１ａは、制御部２０から明るい発光を指示する指令信号が出力されると、行制御信号ＳＥＬ＿０として、相対的に大きなデューティ比をもつ第２制御信号を生成する。第１素子点灯制御部１４１ａは、制御部２０から中間の輝度での発光を指示する指令信号が出力されると、行制御信号ＳＥＬ＿０として、第１制御信号よりもデューティ比が大きく、かつ第２制御信号よりもデューティ比が小さい第３制御信号を生成する。
【００５８】
第１素子点灯制御部１４１ａが第１制御信号をトランジスタ５６ａに出力すると、時刻ｔ０から時刻ｔ１の間、パルスがオフとなり、第１素子５３ａが点灯する。第１素子点灯制御部１４１ａが第３制御信号をトランジスタ５６ａに出力すると、時刻ｔ０から時刻ｔ２の間、パルスがオフとなり、第１素子５３ａが点灯する。第１素子点灯制御部１４１ａが第２制御信号をトランジスタ５６ａに出力すると、時刻ｔ０から時刻ｔ３の間、パルスがオフとなり、第１素子５３ａが点灯する。
【００５９】
そして、第２素子点灯制御部１４１ｂ、第１素子点灯制御部１４２ａ、第２素子点灯制御部１４２ｂ、第１素子点灯制御部１４３ａ、及び第２素子点灯制御部１４３ｂは、第１素子点灯制御部１４１ａと同様に構成されている。すなわち、本変形例の駆動制御部４０は、複数のＬＥＤ５３がそれぞれ有する複数のＬＥＤ素子の各々に、デューティ比の異なる複数の制御信号のうちの１つを選択的に出力することができる。よって、複数のＬＥＤ素子のそれぞれの輝度を個別に調整することができるため、複数のＬＥＤ５３のそれぞれによって実現できる色の組み合わせを、従来よりも増加させることができる。
【００６０】
図２では、ＬＥＤ５３として３色ＬＥＤを例示したが、これに限らず、ＬＥＤ５３は、２色ＬＥＤであってもよく、発光色の異なる４以上のＬＥＤ素子を含んでいてもよい。また、本実施の形態１の点灯制御装置１００は、図２と同様の構成により、複数のＬＥＤ５３の点灯色を調整するものであってよい。この場合、駆動制御部４０は、制御部２０からの指令信号に応じて、複数のＬＥＤ５３のそれぞれに対し、デューティ比の異なる複数の制御信号のうちの１つを選択的に出力する。
【００６１】
実施の形態２．
一般に、多機能電話機には、ファンクションキーのＬＥＤ、例えば電話機の上部に配置される着信ＬＥＤ、及び液晶ディスプレイ（ＬＣＤ：ｌｉｑｕｉｄ  ｃｒｙｓｔａｌ  ｄｉｓｐｌａｙ）のバックライトなど、多数のＬＥＤが使用されている。着信ＬＥＤ及びＬＣＤのバックライトの点灯には、スタティック点灯方式が用いられることが多く、ファンクションキーのＬＥＤの点灯には、ダイナミック点灯方式が用いられることが多い。そして、ダイナミック点灯方式を用いれば、前述した実施の形態１のように、ＬＥＤの輝度を調整することができる。
【００６２】
ところで、搭載機器の光環境は時々刻々と変化する。すなわち、朝、昼、夕方、夜と、時間が変化するにつれて、搭載機器の周囲の明るさは変化する。また、室内の照明器具のオンオフ及び輝度の変化によっても、搭載機器の周囲の明るさは変化する。ここで、周囲が暗ければ、ＬＥＤを相対的に暗くしても視認性を確保することができる。そして、ＬＥＤを暗くすれば、省電力化を図ることができる。一方、周囲が明るければ、ＬＥＤを相対的に明るくすることにより、視認性の向上を図ることができる。しかしながら、搭載機器の光環境の変化に応じて、搭載機器のＬＥＤの輝度を都度調整するのは手間がかかる。そこで、本実施の形態２の点灯制御装置は、搭載機器の光環境の変化に応じて、ＬＥＤの輝度を動的に変化させるようになっている。
【００６３】
図９は、本発明の実施の形態２に係る点灯制御装置を搭載した電気機器の構成を示す概略構成図である。図９では、搭載機器として電話機を例示している。前述した実施の形態１と同等の構成には同一の符号を付して説明は省略する。
【００６４】
図９に示すように、電話機５００は、本体部５１０と、液晶ディスプレイ（ＬＣＤ）からなる表示装置５２０と、を有している。すなわち、表示装置５２０は、液晶及びバックライトなどを含むＬＣＤモジュールを備えている。表示装置５２０は、電話機５００の周囲の明るさを示す照度の情報を照度値として測定するセンサ部２７０を備えている。センサ部２７０は、表示装置５２０の各画素に内蔵されたものでもよいし、表示装置５２０の外郭をなす筐体に取り付けられたものでもよい。
【００６５】
そして、電話機５００は、点灯制御装置２００を有している。点灯制御装置２００は、操作部１０と、記憶部３０と、制御部２２０と、駆動制御部２４０と、１つ又は複数のＬＥＤ５３を含む回路部５０と、検出部２６０と、センサ部２７０と、を有している。図９では、回路部５０が１つのＬＥＤ５３を含む場合を例示している。センサ部２７０は、測定した照度値を検出部２６０へ出力するものである。
【００６６】
本実施の形態２において、記憶部３０には、少なくとも１つの照度閾値が記憶されている。また、記憶部３０には、複数の制御信号のデューティ比の情報が記憶されている。例えば、記憶部３０には、通常の照度値の範囲である基準範囲に対応する基本のデューティ比が記憶される。併せて、記憶部３０には、通常よりも小さい照度値に対応する少なくとも１つの低下用デューティ比と、通常よりも大きい照度値に対応する少なくとも１つの上昇用デューティ比とが記憶される。低下用デューティ比は、基本のデューティ比よりも小さく設定され、上昇用デューティ比は、基本のデューティ比よりも大きく設定される。
【００６７】
検出部２６０は、センサ部２７０から出力される照度値を制御部２２０へ出力するものである。検出部２６０は、ＩＣ（Ｉｎｔｅｇｒａｔｅｄ  Ｃｉｒｃｕｉｔ）などにより構成することができる。制御部２２０は、検出部２６０から取得した照度値を記憶部３０に書き込み、照度値を保持するようになっている。よって、電源がオフされた後、改めてオンされたような場合でも、制御部２２０は、記憶部３０内の照度値をもとに、電源オフ前のＬＥＤ５３の輝度を再現することができる。
【００６８】
制御部２２０は、センサ部２７０において測定された照度値と照度閾値との大小を比較する判定部２２０ａと、判定部２２０ａにおける比較の結果に応じた照度指令信号を生成する指令部２２０ｂと、を有している。照度指令信号は、駆動制御部２４０に、制御信号のデューティ比の調整を指示する信号である。
【００６９】
判定部２２０ａは、センサ部２７０において測定された照度値と、第１照度閾値及び第２照度閾値とを比較する。判定部２２０ａは、照度値が第１照度閾値より小さければ（照度値＜第１閾値）、当該判定の結果を指令部２２０ｂへ出力する。すると、指令部２２０ｂは、デューティ比の低下を指示する照度指令信号を生成して駆動制御部２４０へ出力する。判定部２２０ａは、照度値が第２照度閾値より大きければ（第２閾値＜照度値）、当該判定の結果を指令部２２０ｂへ出力する。すると、指令部２２０ｂは、デューティ比の上昇を指示する照度指令信号を生成して駆動制御部２４０へ出力する。判定部２２０ａは、照度値が、第１照度閾値以上で且つ第２照度閾値以下という基準範囲（第１閾値≦照度値≦第２閾値）内であれば、当該判定の結果を指令部２２０ｂへ出力する。すると、指令部２２０ｂは、基本のデューティ比とする旨の照度指令信号を生成して駆動制御部２４０へ出力する。
【００７０】
判定部２２０ａは、継続的に又は設定時間ごとに、上記の判定処理を実行する。そして、制御部２２０は、判定の結果に変化がない場合、駆動制御部２４０に、現在の制御信号のデューティ比を維持させる。よって、判定部２２０ａは、今回の判定結果が前回の判定結果と同じ場合、指令部２２０ｂに判定の結果を出力しなくてもよい。もしくは、指令部２２０ｂは、判定部２２０ａによる判定の結果に変化がない場合、照度指令信号の生成及び出力を行わなくてもよい。このようにすれば、照度に変化がない場合、駆動制御部２４０に、現在の制御信号のデューティ比を維持させることができる。
【００７１】
駆動制御部２４０は、センサ部２７０が測定した照度値に基づいて、制御信号のデューティ比を調整するものである。つまり、駆動制御部２４０は、制御部２２０からの照度指令信号に応じて、制御信号のデューティ比を調整するものである。駆動制御部２４０は、指令部２２０ｂから基本のデューティ比とする旨の照度指令信号が出力されると、基本のデューティ比をもつ制御信号を生成して出力する。駆動制御部２４０は、指令部２２０ｂからデューティ比の低下を指示する照度指令信号が出力されると、低下用デューティ比をもつ制御信号を生成して出力する。駆動制御部２４０は、指令部２２０ｂからデューティ比の上昇を指示する照度指令信号が出力されると、上昇用デューティ比をもつ制御信号を生成して出力する。すなわち、駆動制御部２４０は、制御信号のデューティ比を小さくてパルス幅を短くすることにより、ＬＥＤ５３の輝度を小さくしてＬＥＤ５３を暗くする。また、駆動制御部２４０は、制御信号のデューティ比を大きくしてパルス幅を長くすることにより、ＬＥＤ５３の輝度を小さくしてＬＥＤ５３を明るくする。ここで、判定の結果に変化がなくても制御部２２０が照度指令信号を出力する構成の場合、駆動制御部２４０は、前回と同一の照度指令信号が出力されたときは、制御信号の現状のデューティ比を維持するとよい。
【００７２】
図１０は、図９の駆動制御部及び回路部の一例を示す回路構成図である。図１０を参照して、回路部５０が１つのＬＥＤ５３を有する場合の点灯制御装置２００の構成例について説明する。図２と同等の構成については同一の符号を用いて説明は省略する。
【００７３】
駆動制御部２４０は、第１素子５３ａ、第２素子５３ｂ、及び第３素子５３ｃのそれぞれに、デューティ比の異なる複数の制御信号のうちの１つを選択的に出力して、ＬＥＤ５３を点灯させるものである。駆動制御部２４０は、ＬＥＤ制御信号ブロック２４１内に、第１素子点灯制御部２４１ａと、第２素子点灯制御部２４１ｂと、第３素子点灯制御部２４１ｃと、を有している。第１素子点灯制御部２４１ａ、第２素子点灯制御部２４１ｂ、及び第３素子点灯制御部２４１ｃは、個別に設定されたデューティ比の制御信号を出力するものである。
【００７４】
本実施の形態２において、第１素子点灯制御部２４１ａ、第２素子点灯制御部２４１ｂ、及び第３素子点灯制御部２４１ｃは、それぞれ、制御部２２０からの照度指令信号に応じて制御信号を生成するものである。つまり、第１素子点灯制御部２４１ａ、第２素子点灯制御部２４１ｂ、及び第３素子点灯制御部２４１ｃは、それぞれ、センサ部２７０が測定した照度値に基づいて設定されたデューティ比の制御信号を生成するようになっている。
【００７５】
本実施の形態２において、第１素子点灯制御部２４１ａ、第２素子点灯制御部２４１ｂ、及び第３素子点灯制御部２４１ｃは、それぞれ、図５に例示するような第１制御信号、第２制御信号、及び第３制御信号を生成するようになっている。ここで、第１制御信号は、低下用デューティ比をもつ制御信号に該当し、第２制御信号は、上昇用デューティ比をもつ制御信号に該当し、第３制御信号は、基本のデューティ比をもつ制御信号に該当する。
【００７６】
すなわち、第１素子点灯制御部２４１ａは、指令部２２０ｂから基本のデューティ比とする旨の照度指令信号が出力されると、第３制御信号をトランジスタ５２ａに出力する。第１素子点灯制御部２４１ａは、指令部２２０ｂからデューティ比の低下を指示する照度指令信号が出力されると、第１制御信号をトランジスタ５２ａに出力する。第１素子点灯制御部２４１ａは、指令部２２０ｂからデューティ比の上昇を指示する照度指令信号が出力されると、第２制御信号をトランジスタ５２ａに出力する。そして、第２素子点灯制御部２４１ｂ及び第３素子点灯制御部２４１ｃは、何れも、第１素子点灯制御部２４１ａと同様に、第１制御信号、第２制御信号、及び第３制御信号を生成することができる。
【００７７】
図１０では、ＬＥＤ５３として３色ＬＥＤを例示したが、これに限らず、ＬＥＤ５３は、２色ＬＥＤであってもよく、発光色の異なる４以上のＬＥＤ素子を含んでいてもよい。また、図１０では、回路部５０が１つのＬＥＤ５３を含む場合を例示したが、これに限定されない。すなわち、点灯制御装置２００は、図１０の例と同様の構成により、複数のＬＥＤ５３の点灯色を調整することができる。この場合、駆動制御部２４０は、制御部２０からの指令信号に応じて、複数のＬＥＤ５３のそれぞれに対し、デューティ比の異なる複数の制御信号のうちの１つを選択的に出力する。
【００７８】
図１１は、図９の駆動制御部及び回路部の他の例を示す回路構成図である。図１１を参照して、回路部５０が複数のＬＥＤ５３を有する場合の点灯制御装置２００の構成例について説明する。図６と同等の構成については同一の符号を用いて説明は省略する。
【００７９】
駆動制御部２４０は、行選択処理部３４１内に、第１素子点灯制御部３４１ａと、第２素子点灯制御部３４１ｂと、第１素子点灯制御部３４２ａと、第２素子点灯制御部３４２ｂと、第１素子点灯制御部３４３ａと、第２素子点灯制御部３４３ｂと、を有している。第１素子点灯制御部３４１ａ、第２素子点灯制御部３４１ｂ、第１素子点灯制御部３４２ａ、第２素子点灯制御部３４２ｂ、第１素子点灯制御部３４３ａ、及び第２素子点灯制御部３４３ｂは、それぞれ、個別に設定されたデューティ比の制御信号を出力するものである。第１素子点灯制御部３４１ａ、第２素子点灯制御部３４１ｂ、第１素子点灯制御部３４２ａ、第２素子点灯制御部３４２ｂ、第１素子点灯制御部３４３ａ、及び第２素子点灯制御部３４３ｂは、それぞれ、制御部２２０からの照度指令信号に応じて制御信号を生成するものである。
【００８０】
本実施の形態２において、第１素子点灯制御部３４１ａ、第２素子点灯制御部３４１ｂ、第１素子点灯制御部３４２ａ、第２素子点灯制御部３４２ｂ、第１素子点灯制御部３４３ａ、及び第２素子点灯制御部３４３ｂは、それぞれ、図８に例示するような第１制御信号、第２制御信号、及び第３制御信号を生成するようになっている。ここで、第１制御信号は、低下用デューティ比をもつ制御信号に該当し、第２制御信号は、上昇用デューティ比をもつ制御信号に該当し、第３制御信号は、基本のデューティ比をもつ制御信号に該当する。
【００８１】
すなわち、第１素子点灯制御部３４１ａは、指令部２２０ｂから基本のデューティ比とする旨の照度指令信号が出力されると、第３制御信号をトランジスタ５２ａに出力する。第１素子点灯制御部２４１ａは、指令部２２０ｂからデューティ比の低下を指示する照度指令信号が出力されると、第１制御信号をトランジスタ５２ａに出力する。第１素子点灯制御部２４１ａは、指令部２２０ｂからデューティ比の上昇を指示する照度指令信号が出力されると、第２制御信号をトランジスタ５２ａに出力する。そして、第２素子点灯制御部３４１ｂ、第１素子点灯制御部３４２ａ、第２素子点灯制御部３４２ｂ、第１素子点灯制御部３４３ａ、及び第２素子点灯制御部３４３ｂは、何れも、第１素子点灯制御部３４１ａと同様に、第１制御信号、第２制御信号、及び第３制御信号を生成することができる。
【００８２】
図１２は、図９の制御部の動作の一例を示すフローチャートである。図１２を参照して、第１照度閾値と第２照度閾値とを用いた制御部２２０の動作について説明する。
【００８３】
制御部２２０は、センサ部２７０から照度値を取得する（ステップＳ１０１）。次いで、制御部２２０は、照度値が第１照度閾値よりも小さいか否かを判定する（ステップＳ１０２）。制御部２２０は、照度値が第１照度閾値よりも小さい場合（ステップＳ１０２／Ｙｅｓ）、デューティ比の低下を指示する照度指令信号を生成して駆動制御部２４０へ出力し（ステップＳ１０４）、ステップＳ１０１の処理へ戻る。
【００８４】
一方、制御部２２０は、照度値が第１照度閾値以上の場合（ステップＳ１０２／Ｎｏ）、照度値が第２照度閾値よりも大きい否かを判定する（ステップＳ１０３）。制御部２２０は、照度値が第２照度閾値よりも大きい場合（ステップＳ１０３／Ｙｅｓ）、デューティ比の上昇を指示する照度指令信号を生成して駆動制御部２４０へ出力し（ステップＳ１０５）、ステップＳ１０１の処理へ戻る。また、制御部２２０は、照度値が第２照度閾値以下であれば（ステップＳ１０５／Ｎｏ）、基本のデューティ比とする旨の照度指令信号を生成して駆動制御部２４０へ出力し（ステップＳ１０６）、ステップＳ１０１の処理へ戻る。
【００８５】
上記の制御部２２０による一連の処理により、駆動制御部２４０が出力する制御信号のデューティ比は、照度値が第１照度閾値以上で且つ第２照度閾値以下であれば、基本のデューティ比に設定される。また、照度値が第１照度閾値より小さければ、低下用デューティ比に設定され、照度値が第２照度閾値より大きければ、上昇用デューティ比に設定される。
【００８６】
本実施の形態２の構成は、前述した実施の形態１の構成と組み合わせることができる。すなわち、実施の形態１の制御により、点灯色が変更されたＬＥＤ５３に対して、センサ部２７０の照度値に基づく輝度調整を行うようにしてもよい。この場合、記憶部３０には、例えば、図３、図５、又は図８に示すような複数の制御信号の基本のデューティ比（例えば、１／８、１／２、７／８）の情報が記憶される。そして、記憶部３０には、照度閾値に関連づけられたデューティ比の低下量及び上昇量の情報が記憶される。
【００８７】
そして、制御部２２０は、実施の形態１の制御部２０と同様の機能をもつ。すなわち、制御部２２０は、操作部１０からの操作信号に基づいて、一又は複数のＬＥＤ５３の各ＬＥＤ素子のそれぞれの輝度を設定し、設定内容に応じた指令信号を生成して駆動制御部２４０へ出力する。同様に、駆動制御部２４０は、実施の形態１の駆動制御部４０と同様の機能をもつ。すなわち、駆動制御部２４０は、制御部２２０から出力される指令信号に従い、図３、図５、又は図８に例示するような基本のデューティ比をもつ制御信号を選択的に生成する。
【００８８】
ここで、記憶部３０に、照度閾値として、第１照度閾値と、第１照度閾値よりも大きく設定された第２照度閾値とが記憶されている例について具体的に説明する。この場合、記憶部３０には、第１照度閾値及び第２照度閾値に関連づけられたデューティ比の低下量及び上昇量の情報が記憶される。デューティ比の低下量及び上昇量の情報としては、照度値が第１照度閾値より小さい場合に用いられる低下率の情報と、照度値が第２照度閾値より大きい場合に用いられる上昇率の情報とが想定される。低下率の情報及び上昇率の情報は、制御信号ごとに設定することができる。例えば、第１制御信号の場合は、相対的に、低下率が小さくなり、上昇率が大きくなるように設定するとよい。一方、第２制御信号の場合は、相対的に、低下率が大きくなり、上昇率が小さくなるように設定するとよい。
【００８９】
そして、駆動制御部２４０は、制御部２２０からの照度指令信号に応じて、制御信号のデューティ比を調整するものである。駆動制御部２４０は、指令部２２０ｂからデューティ比の低下を指示する照度指令信号が出力されると、記憶部３０の低下率の情報を参照して、制御信号のデューティ比を小さくする。駆動制御部２４０は、指令部２２０ｂからデューティ比の上昇を指示する照度指令信号が出力されると、記憶部３０の上昇率の情報を参照して、制御信号のデューティ比を大きくする。駆動制御部２４０は、指令部２２０ｂから基本のデューティ比とする旨の照度指令信号が出力されると、記憶部３０を参照して、制御信号のデューティ比を基本のデューティ比とする。駆動制御部２４０は、判定の結果に変化がなくても制御部２２０が照度指令信号を出力する構成において、前回と同一の照度指令信号が出力された場合は、制御信号のデューティ比を維持するとよい。
【００９０】
ところで、初期状態では、制御信号のデューティ比は、図３、図５、又は図８に例示するような基本のデューティ比となっている。よって、駆動制御部２４０は、１回目の判定において、制御部２２０から基本のデューティ比とする旨の照度指令信号が出力された場合、現状のデューティ比を維持するとよい。
【００９１】
上記の説明では、制御部２２０が判定部２２０ａにより、照度値と照度閾値との判定を行う場合を例示したが、これに限定されない。例えば、検出部２６０が、照度値と照度閾値との判定を行うようにし、周囲が暗いと判定した場合、もしくは周囲が明るいと判定した場合に、判定の結果を制御部２２０へ出力するようにしてもよい。つまり、判定部２２０ａは、制御部２２０ではなく、検出部２６０に設けられてもよい。
【００９２】
以上のように、本実施の形態２の点灯制御装置２００は、照度センサであるセンサ部２７０を用いることにより、外部の明るさに応じて、１又は複数のＬＥＤ５３の輝度を個別に調整することができる。そして、点灯制御装置２００は、実施の形態１と同様の原理により、２色ＬＥＤ又は３色ＬＥＤであるＬＥＤ５３の点灯色を変化させることができる。すなわち、点灯制御装置２００は、センサ部２７０の照度値に基づいて調整される制御信号により、トランジスタをオンオフ制御することで、ＬＥＤ５３の点灯時間を調整し、ＬＥＤ５３の輝度及び点灯色を調整することができる。
【００９３】
より具体的に、制御部２２０は、照度値をもとに、周囲が暗いと判定したときにＬＥＤ５３の輝度を低下させ、周囲が明るいと判定したときにＬＥＤ５３の輝度を上昇させる。ＬＥＤ５３としては、ファンクションキーのＬＥＤのみならず、着信ＬＥＤ又はＬＣＤのバックライトなども適用することができる。よって、点灯制御装置２００によれば、視認性の向上を図ることができる。
【００９４】
ところで、表示装置５２０のチルト角度が、例えば本体部５１０側の端部を軸として可変となっている場合、センサ部２７０により、チルト角度の変化に起因した照度の変化を検出するようにしてもよい。一般に、ＬＣＤは、見る角度によって見え方が変化する。すなわち、表示装置５２０には、チルト角度に応じて、バックライトの最適な輝度が変化する。よって、実機試験などにより、例えば、チルト角度の変化に応じた照度値と、バックライトの輝度とを関連づけた輝度テーブルを記憶部３０に記憶させておくとよい。そして、制御部２２０が輝度テーブルを参照して、駆動制御部２４０を制御するとよい。
【００９５】
図９では、センサ部２７０が表示装置５２０に設けられている場合を例示したが、これに限らず、センサ部２７０は、本体部５１０に設けられてもよいし、電話機５００の外部に設けられたものでもよい。また、点灯制御装置２００は、センサ部２７０を有さなくてもよい。この場合、例えば、制御部２２０が上位装置側から時間の情報を取得して記憶部３０に書き込み、時間の情報をもとにＬＥＤ５３の輝度を調整するようにしてもよい。時間の情報としては、朝、昼、夕方、及び夜といった情報、又は時刻の情報などが想定される。
【００９６】
実施の形態３．
一般に、電話機などの電気機器には、製品寿命があり、寿命期間以上の使用は、品質維持の観点等から望ましくない。ここで、寿命部品を搭載している電話機を例にとると、電話機は、一般に、寿命期間以上の使用が可能である。つまり、電話機は、寿命期間を超えても、寿命部品が故障しない限り、通話機能を利用することができる。ただし、電話機は、寿命期間後も使用を続けていると、予期しないタイミングで寿命部品の寿命が訪れ、そのことが電話機自体の故障の原因となることがある。すなわち、寿命期間後の使用は、突発的に使用できなくなるというリスクを伴う。
【００９７】
しかしながら、電話機は、各種の機能が経時的に低下するわけではなく、ユーザからみても、外観は何ら変化しないため、交換という発想に繋がりにくい。よって、リプレースを促進することができず、ユーザのリスクを低減させることが困難な状況にある。そこで、本実施の形態３の点灯制御装置は、寿命期間が満了したときなどに、ＬＥＤの輝度を低下させるという構成を採っている。
【００９８】
図１３は、本発明の実施の形態３に係る点灯制御装置を搭載した電気機器の構成を示す概略構成図である。図１３では、搭載機器として電話機を例示している。前述した実施の形態１及び２と同等の構成には同一の符号を付して説明は省略する。
【００９９】
図１３に示すように、電話機６００は、本体部６１０と、液晶ディスプレイ（ＬＣＤ）からなる表示装置６２０と、を有している。そして、電話機６００は、点灯制御装置３００を有している。点灯制御装置３００は、操作部１０と、記憶部３０と、制御部４２０と、駆動制御部４４０と、１つ又は複数のＬＥＤ５３を含む回路部５０と、回線部４８０と、を有している。図１３では、回路部５０が１つのＬＥＤ５３を含む場合を例示している。
【０１００】
駆動制御部４４０は、パルス幅の調整に用いるデータレジスタを有している。駆動制御部４４０は、データレジスタに任意のデータを書き込むことで、輝度の調整を実施する。回線部４８０には、ＰＢＸ（構内交換機：Ｐｒｉｖａｔｅ  Ｂｒａｎｃｈ  ｅＸｃｈａｎｇｅ）８００が接続されている。回線部４８０は、ＰＢＸとのＩＰ通信もしくはデジタル通信を行う。回線部４８０は、ＰＢＸ８００から受信する各種のデータを制御部４２０へ出力する。ＰＢＸ８００は、電話機６００の呼制御などを実施する。
【０１０１】
ここで、本実施の形態３では、電話機６００がＩＰ電話機の場合について説明する。よって、電話機６００には、ＰＢＸ８００から、１時間に１度、時計合わせのための時計合わせデータが送信される。なお、時計合わせデータは、本発明の「時間の情報」に相当する。記憶部３０には、電話機６００のＯＳ（Ｏｐｅｒａｔｉｎｇ  Ｓｙｓｔｅｍ）が格納されている。また、記憶部３０には、使用開始からの経過時間の情報である経時データが記憶されており、制御部４２０により経時的に更新される。使用開始からの経過時間の情報であるは、工場出荷時において「０」に設定されている。さらに、記憶部３０には、経時データとの比較に用いられる寿命基準値が記憶されている。
【０１０２】
制御部４２０は、ＰＢＸ８００から送信される各種のデータを、回線部４８０を介して取得する。制御部４２０は、回線部４８０から取得したデータが時計合わせデータであれば、当該時計合わせデータに基づく情報を記憶部３０に書き込む。より具体的に、制御部４２０は、時計合わせデータを取得した際、記憶部３０から経時データの現状の値を読み込み、読み込んだ経時データに１を加算して経時データを更新する。
【０１０３】
制御部４２０は、経時データを更新したとき、経時データが寿命基準値を超えたか否かを判定する。制御部４２０は、経時データが寿命基準値を超えたときに、駆動制御部４４０を制御し、ＬＥＤ５３の輝度が現状よりも暗くなるように調整させる。よって、ユーザに電話機６００の寿命期間の満了を意識させることができるため、リプレースの促進を図ることができる。ここで、ＬＥＤ５３としては、着信ＬＥＤ又はファンクションキーのＬＥＤなどが想定される。ＬＥＤ５３は、表示装置６２０のバックライトであってもよい。
【０１０４】
より具体的に、制御部４２０は、制御信号のパルス幅に対応するデューティ比をデータレジスタへ書き込むようになっている。そして、駆動制御部４４０は、書き込まれたデューティ比をもとに制御信号を生成して出力するようになっている。制御部４２０は、寿命期間内において、初期設定のデューティ比である初期デューティ比をデータレジスタへ書き込むようになっている。
【０１０５】
また、制御部４２０は、経時データが寿命基準値を超えたとき、初期デューティ比よりもパルス幅が小さい経時デューティ比をデータレジスタに書き込むようになっている。駆動制御部４４０は、書き込まれた経時デューティ比をもとに、制御信号のデューティ比を小さくする。これにより、ＬＥＤ５３の輝度が小さくなる。
【０１０６】
さらに、制御部４２０は、駆動制御部４４０のデータレジスタに書き込んだデューティ比の情報を記憶部３０に記憶させるようになっている。これにより、電源がオフされた後、改めてオンされたような場合でも、制御部４２０は、記憶部３０内のデューティ比の情報を駆動制御部４４０へ出力することができるため、電源オフ前のＬＥＤ５３の輝度を再現することができる。
【０１０７】
例えば、電話機６００の寿命期間を６年とした場合、６年を時間に換算すると、５２５６０（２４ｈ×３６５日×６年）時間となる。すなわち、経時データが５２５６０となったときが６年の寿命期間の満了時となる。つまり、５２５６０が寿命基準値となる。よって、制御部４２０は、経時データを更新したとき、経時データが５２５６０を超えたか否かを判定する。そして、制御部４２０は、経時データが５２５６１となったときに、駆動制御部４４０を制御し、ＬＥＤ５３の輝度が現状よりも暗くなるように調整させる。
【０１０８】
さらに、寿命基準値よりも大きく設定された１つ又は複数の閾値が記憶部３０に設定されていてもよい。そして、制御部４２０は、経時データが閾値を超えたときに、駆動制御部４４０を制御し、ＬＥＤ５３の輝度が現状よりも暗くなるように調整させてもよい。このようにすれば、電話機６００が寿命期間を超えた後、ＬＥＤ５３の輝度を段階的に低下させることができるため、電話機６００の寿命をさらに強く意識させることができる。
【０１０９】
図１４は、図１３の駆動制御部及び回路部の一例を示す回路構成図である。図１４を参照して、回路部５０が１つのＬＥＤ５３を有する場合の点灯制御装置３００の構成例について説明する。図２と同等の構成については同一の符号を用いて説明は省略する。
【０１１０】
駆動制御部４４０は、第１素子５３ａ、第２素子５３ｂ、及び第３素子５３ｃのそれぞれに、デューティ比の異なる複数の制御信号のうちの１つを選択的に出力して、ＬＥＤ５３を点灯させるものである。駆動制御部４４０は、ＬＥＤ制御信号ブロック４４１内に、第１素子点灯制御部４４１ａと、第２素子点灯制御部４４１ｂと、第３素子点灯制御部４４１ｃと、を有している。第１素子点灯制御部４４１ａ、第２素子点灯制御部４４１ｂ、及び第３素子点灯制御部４４１ｃは、それぞれ、個別に設定されたデューティ比の制御信号を出力するものである。つまり、第１素子点灯制御部４４１ａ、第２素子点灯制御部４４１ｂ、及び第３素子点灯制御部４４１ｃは、それぞれ、制御部４２０によって書き込まれたデューティ比の情報に応じて制御信号を生成するものである。
【０１１１】
例えば、第１素子点灯制御部４４１ａ、第２素子点灯制御部４４１ｂ、及び第３素子点灯制御部４４１ｃは、それぞれ、図３に例示するような第１制御信号及び第２制御信号を生成するように構成される。この場合、初期デューティ比は、第２制御信号の「７／８」となり、経時デューティ比は、第１制御信号の「１／８」となる。
【０１１２】
また、第１素子点灯制御部４４１ａ、第２素子点灯制御部４４１ｂ、及び第３素子点灯制御部４４１ｃは、それぞれ、図５に例示するような第１制御信号、第２制御信号、及び第３制御信号を生成するように構成してもよい。この場合、初期デューティ比は、第２制御信号の「７／８」となり、経時デューティ比は、第３制御信号の「１／２」、及び第１制御信号の「１／８」となる。すなわち、この場合は、寿命基準値の他に、１つの閾値が設定される。そして、経時データが寿命基準値を超えたときに、制御信号のデューティ比が「７／８」から「１／２」に変更され、経時データが閾値を超えたときに、制御信号のデューティ比が「１／２」から「１／８」に変更される。
【０１１３】
ここで、駆動制御部４４０は、第１素子５３ａ、第２素子５３ｂ、及び第３素子５３ｃの各々に出力する制御信号のデューティ比を、それぞれ個別に変更してもよい。また、第１素子５３ａ、第２素子５３ｂ、及び第３素子５３ｃのうちの１つの輝度のみを低下させてもよく、第１素子５３ａ、第２素子５３ｂ、及び第３素子５３ｃのうちの２つ輝度を低下させてもよい。すなわち、図４にも示したように、ＬＥＤ５３の点灯色を変化させることにより、寿命期間が経過したことをユーザに認識させるようにしてもよい。
【０１１４】
図１４では、ＬＥＤ５３として３色ＬＥＤを例示したが、これに限らず、ＬＥＤ５３は、２色ＬＥＤであってもよく、発光色の異なる４以上のＬＥＤ素子を含んでいてもよい。また、図１４では、回路部５０が１つのＬＥＤ５３を含む場合を例示したが、これに限定されない。すなわち、点灯制御装置２００は、図１０の例と同様の構成により、複数のＬＥＤ５３の点灯色を調整することができる。この場合、駆動制御部２４０は、制御部２０からの指令信号に応じて、複数のＬＥＤ５３のそれぞれに対し、デューティ比の異なる複数の制御信号のうちの１つを選択的に出力する。
【０１１５】
図１５は、図１４の駆動制御部及び回路部の他の例を示す回路構成図である。図１５を参照して、回路部５０が複数のＬＥＤ５３を有する場合の点灯制御装置３００の構成例について説明する。図６と同等の構成については同一の符号を用いて説明は省略する。
【０１１６】
駆動制御部４４０は、行選択処理部５４１内に、第１素子点灯制御部５４１ａと、第２素子点灯制御部５４１ｂと、第１素子点灯制御部５４２ａと、第２素子点灯制御部５４２ｂと、第１素子点灯制御部５４３ａと、第２素子点灯制御部５４３ｂと、を有している。第１素子点灯制御部５４１ａ、第２素子点灯制御部５４１ｂ、第１素子点灯制御部５４２ａ、第２素子点灯制御部５４２ｂ、第１素子点灯制御部５４３ａ、及び第２素子点灯制御部５４３ｂは、それぞれ、個別に設定されたデューティ比の制御信号を出力するものである。つまり、第１素子点灯制御部５４１ａ、第２素子点灯制御部５４１ｂ、第１素子点灯制御部５４２ａ、第２素子点灯制御部５４２ｂ、第１素子点灯制御部５４３ａ、及び第２素子点灯制御部５４３ｂは、それぞれ、制御部４２０によって書き込まれたデューティ比に応じて制御信号を生成するものである。
【０１１７】
例えば、第１素子点灯制御部５４１ａ、第２素子点灯制御部５４１ｂ、第１素子点灯制御部５４２ａ、第２素子点灯制御部５４２ｂ、第１素子点灯制御部５４３ａ、及び第２素子点灯制御部５４３ｂは、それぞれ、図８に例示するような第１制御信号、第２制御信号、及び第３制御信号を生成するように構成される。この場合、初期デューティ比は、第２制御信号の「７／８」となり、経時デューティ比は、第３制御信号の「１／２」、及び第１制御信号の「１／８」となる。
【０１１８】
ここで、駆動制御部４４０は、第１素子５３ａ及び第２素子５３ｂの各々に出力する制御信号のデューティ比を、それぞれ個別に変更してもよい。また、第１素子５３ａ及び第２素子５３ｂのうちの１つの輝度のみを低下させてもよい。すなわち、ＬＥＤ５３の点灯色を変化させることにより、寿命期間が経過したことをユーザに認識させるようにしてもよい。
【０１１９】
上記の説明では、点灯制御装置３００が、ＩＰ通信による情報をもとに制御を行う場合を例示したが、これに限らず、点灯制御装置３００は、デジタル通信を行う電話機にも適用することができる。この場合、上位装置側からの時計情報を記憶部３０に継続的に書き込み、書き込んだ情報をもとに経過時間を把握して、寿命期間に到達したときなどに、ＬＥＤ５３の輝度を低くするとよい。
【０１２０】
そして、本実施の形態３の構成は、上述した実施の形態１又は２の構成と組み合わせることができる。すなわち、点灯制御装置３００は、点灯制御装置１００又は２００と同様に制御信号を生成してＬＥＤ５３の輝度又は点灯色を調整し、寿命期間が経過したときなどに、さらにＬＥＤ５３の輝度を低下させるようにしてもよい。この場合、例えば記憶部３０に、デューティ比の低下率の情報を記憶させておき、寿命期間が経過したときなどに、低下率の情報を参照してデューティ比を小さくするとよい。
【０１２１】
以上のように、点灯制御装置３００は、経時的に累積される経時データを用いて、電話機が使用されている時間を確認し、寿命期間に到達したときに、ＬＥＤ５３の輝度を現状よりも暗くする。また、点灯制御装置３００は、寿命期間に到達したときに、２色ＬＥＤ又は３色ＬＥＤであるＬＥＤ５３の点灯色を変化させることもできる。そのため、寿命期間が経過したことをユーザに認識させ、定期交換の促進を図ることができる。
【０１２２】
上述した各実施の形態は、点灯制御装置における好適な具体例であり、本発明の技術的範囲は、これらの態様に限定されるものではない。上述した実施の形態１では、トランジスタ５２ａ〜５２ｃを用いてＬＥＤ５３の各ＬＥＤ素子の点灯制御を行う場合を例示したが、これに限定されない。ＬＥＤ５３の各ＬＥＤ素子の点灯制御は、例えば、電界効果トランジスタ（ＦＥＴ：Ｆｉｅｌｄ  ｅｆｆｅｃｔ  ｔｒａｎｓｉｓｔｏｒ）、又はＦＰＧＡでの直接動作によって実行してもよい。また、変形例では、スイッチング素子として、トランジスタ５６ａ〜５６ｆ及びトランジスタ５９ａ〜５９ｆを採用した場合を例示したが、これに限定されない。複数のＬＥＤ５３の点灯制御は、例えば、電界効果トランジスタ（ＦＥＴ）又はＦＰＧＡでの直接動作によって実行してもよい。実施の形態２及び３における各構成についても同様である。
【０１２３】
また、図６、図１１、及び図１５では、ＬＥＤ５３として、２色のＬＥＤ素子が独立している独立型の２色ＬＥＤを例示したが、これに限定されない。ＬＥＤ５３は、例えば、２色のＬＥＤ素子のアノードが共通になっているコモン型の２色ＬＥＤであってもよい。また、図６、図１１、及び図１５では、ＬＥＤ５３として、赤色及び緑色の２色ＬＥＤを例示しているが、これに限らず、ＬＥＤ５３は、例えば、赤色及び青色の２色ＬＥＤ、もしくは黄色及び緑色の２色ＬＥＤなどであってもよい。もっとも、図６、図１１、及び図１５の構成に、ＬＥＤ５３として３色ＬＥＤを適用してもよい。また、図６、図１１、及び図１５では、回路部５０が１８個のＬＥＤ５３を含む例を示しているが、これに限らず、点灯制御装置１００、２００、及び３００に搭載するＬＥＤ５３の個数は、用途及びコストなどを考慮して適宜変更してもよい。
【符号の説明】
【０１２４】
１０  操作部、２０、２２０、４２０  制御部、３０  記憶部、４０、２４０、４４０  駆動制御部、４１、２４１、４４１  ＬＥＤ制御信号ブロック、４１ａ、１４１ａ〜１４３ａ、２４１ａ〜２４１ｃ、３４１ａ〜３４３ａ、４４１ａ、５４１ａ〜５４３ａ  第１素子点灯制御部、４１ｂ、１４１ｂ〜１４３ｂ、２４１ｂ、３４１ｂ〜３４３ｂ、４４１ｂ、５４１ｂ〜５４３ｂ  第２素子点灯制御部、４１ｃ、２４１ｃ、４４１ｃ  第３素子点灯制御部、５０  回路部、５１ａ〜５１ｃ、５４ａ〜５４ｃ、５５ａ〜５５ｆ、５７ａ〜５７ｆ、５８ａ〜５８ｆ  抵抗、５２ａ〜５２ｃ、５６ａ〜５６ｆ、５９ａ〜５９ｆ  トランジスタ、５３  ＬＥＤ、５３ａ  第１素子、５３ｂ  第２素子、５３ｃ  第３素子、５３ａｂ、５３ｃｄ、５３ｅｆ  ＬＥＤ群、１００、２００、３００  点灯制御装置、１４１、３４１、５４１  行選択処理部、１４２  列選択処理部、２２０ａ  判定部、２２０ｂ  指令部、２６０  検出部、２７０  センサ部、４８０  回線部、５００、６００  電話機、５１０  本体部、５２０、６２０  表示装置、５３０、ＬＥＤマトリクス、５６０  コンデンサ、８００  ＰＢＸ、ＯＵＴ０〜ＯＵＴ５  列制御信号、ＳＥＬ＿０〜ＳＥＬ＿５  行制御信号、ＴＬ  点灯周期。
【図１】
2019046616.tif 000003
【図２】
2019046616.tif 000004
【図３】
2019046616.tif 000005
【図４】
2019046616.tif 000006
【図５】
2019046616.tif 000007
【図６】
2019046616.tif 000008
【図７】
2019046616.tif 000009
【図８】
2019046616.tif 000010
【図９】
2019046616.tif 000011
【図１０】
2019046616.tif 000012
【図１１】
2019046616.tif 000013
【図１２】
2019046616.tif 000014
【図１３】
2019046616.tif 000015
【図１４】
2019046616.tif 000016
【図１５】
2019046616.tif 000017